(57)【特許請求の範囲】
【請求項１】
操縦装置と、
パイロットが前記操縦装置に対して操舵入力を行うときの前記操縦装置の操舵位置の時間変化率に基づいてインナー・ループ・コマンドを生成するインナー・ループ・コマンド演算部であって、前記インナー・ループ・コマンドは、パイロットの操舵入力により舵面アクチュエータに与えられるコマンド量を前記操縦装置の操舵位置を変化させずに増減させるためのコマンドである、前記インナー・ループ・コマンド演算部と、
前記操舵位置と前記インナー・ループ・コマンドとに基づいて、航空機の舵面を駆動する舵面アクチュエータと、
前記航空機の飛行状態によって変化する第１諸元を検出するセンサと、
前記検出された第１諸元が制限値に達するときの前記操縦装置の操舵位置としての制限操舵位置を算出する制限操舵位置演算部と、
前記操縦装置の操舵位置と前記制限操舵位置とに基づいて決定される反力生成コマンドを生成する反力生成コマンド演算部と、
前記操縦装置に対して操舵入力を行うときにパイロットが受ける反力を、前記反力生成コマンドに基づいて変化させる反力生成用アクチュエータと
を具備する
航空機の操縦システム。
【請求項２】
前記インナー・ループ・コマンド演算部は、前記インナー・ループ・コマンドが前記操舵位置の時間変化率に依存するように前記インナー・ループ・コマンドを生成し、
前記舵面アクチュエータは、前記操舵位置が速く変化した場合に前記舵面の駆動量が減少するように前記舵面を駆動する
請求項１の航空機の操縦システム。
【請求項３】
前記インナー・ループ・コマンドに基づいて作動するインナー・ループ・アクチュエータを更に具備し、
前記舵面アクチュエータは、前記操舵位置と前記インナー・ループ・アクチュエータの出力変位に基づいて前記舵面を駆動する
請求項２の航空機の操縦システム。
【請求項４】
飛行制御演算部と、
舵面コマンド演算部とを更に具備し、
前記飛行制御演算部は、前記操舵位置に基づいて操舵コマンドを生成し、
前記舵面コマンド演算部は、前記操舵コマンドから前記インナー・ループ・コマンドを減算して舵面コマンドを生成し、
前記舵面アクチュエータは、前記舵面コマンドに基づいて前記舵面を駆動する
請求項２の航空機の操縦システム。
【請求項５】
前記センサは、前記第１諸元を含む複数諸元を検出し、
前記複数諸元は前記飛行状態によって変化し、
前記制限操舵位置演算部は、前記複数諸元の値の組合せと前記制限操舵位置を対応付けたテーブルに基づいて前記制限操舵位置を算出する
請求項１乃至４のいずれかに記載の航空機の操縦システム。
【請求項６】
前記制限操舵位置演算部は、
前記制限値と前記第１諸元の差分と、前記操舵位置の変化量に対する前記第１諸元の変化量の割合とに基づいて、操舵位置変化量を算出し、
前記操舵位置変化量と、前記操舵位置とに基づいて、前記制限操舵位置を算出する
請求項１乃至４のいずれかに記載の航空機の操縦システム。
【請求項７】
前記センサは、前記第１諸元とは異なる複数諸元を更に検出し、
前記複数諸元は前記飛行状態によって変化し、
前記制限操舵位置演算部は、前記差分と、前記複数諸元と、前記複数諸元の値の組合せと前記割合を対応付けたテーブルとに基づいて、前記操舵位置変化量を算出する
請求項６の航空機の操縦システム。
【請求項８】
前記センサは、前記第１諸元とは異なる複数諸元を更に検出し、
前記複数諸元は前記飛行状態によって変化し、
前記制限操舵位置演算部は、
前記第１諸元の所定の予測時間後の予測値としての第１諸元予測値を算出し、
前記制限値と前記第１諸元予測値の差分と、前記複数諸元と、前記複数諸元の値の組合せと前記操舵位置の変化量に対する前記第１諸元の変化量の割合とを対応付けたテーブルとに基づいて、操舵位置変化量を算出し、
前記操舵位置変化量と、前記操舵位置とに基づいて、前記制限操舵位置を算出する
請求項１乃至４のいずれかに記載の航空機の操縦システム。
【請求項９】
前記センサは、前記第１諸元とは異なる複数諸元を更に検出し、
前記複数諸元は前記飛行状態によって変化し、
前記制限操舵位置演算部は、
前記第１諸元の所定の予測時間後の予測値としての第１諸元予測値を算出し、
前記第１諸元予測値と、前記第１諸元と、保持時間として前記予測時間が設定されたバッファと、フィルタとに基づいて、前記第１諸元予測値の補正値としての第１諸元補正値を算出し、
前記制限値と前記第１諸元補正値の差分と、前記複数諸元と、前記複数諸元の値の組合せと前記操舵位置の変化量に対する前記第１諸元の変化量の割合とを対応付けたテーブルとに基づいて、操舵位置変化量を算出し、
前記操舵位置変化量と、前記操舵位置とに基づいて、前記制限操舵位置を算出する
請求項１乃至４のいずれかに記載の航空機の操縦システム。
【請求項１０】
航空機の飛行状態によって変化する第１諸元を検出するステップと、
前記検出された第１諸元が制限値に達するときの操縦装置の操舵位置としての制限操舵位置を算出するステップと、
前記操縦装置の操舵位置と前記制限操舵位置とに基づいて決定される反力生成コマンドを生成するステップと、
前記操縦装置に操舵入力を行うときにパイロットが受ける反力を、前記反力生成コマンドに基づいて変化させるステップと、
前記操舵位置の時間変化率に基づいてインナー・ループ・コマンドを生成するステップであって、前記インナー・ループ・コマンドは、パイロットの操舵入力により舵面アクチュエータに与えられるコマンド量を前記操縦装置の操舵位置を変化させずに増減させるためのコマンドである、前記インナー・ループ・コマンドを生成するステップと、
前記操舵位置と前記インナー・ループ・コマンドとに基づいて、前記航空機の舵面を駆動するステップと
を具備する
航空機の操縦方法。
【請求項１１】
前記インナー・ループ・コマンドを生成する前記ステップにおいて、前記インナー・ループ・コマンドが前記操舵位置の時間変化率に依存するように前記インナー・ループ・コマンドを生成し、
前記舵面を駆動する前記ステップにおいて、前記操舵位置が速く変化した場合に前記舵面の駆動量が減少するように前記舵面を駆動する
請求項１０の航空機の操縦方法。
【請求項１２】
前記操縦装置は、インナー・ループ・アクチュエータ及び舵面アクチュエータを介して前記舵面に接続され、
前記舵面を駆動する前記ステップは、
前記インナー・ループ・アクチュエータが前記インナー・ループ・コマンドに基づいて作動するステップと、
前記舵面アクチュエータが、前記操舵位置及び前記インナー・ループ・アクチュエータの出力変位に基づいて前記舵面を駆動するステップと
を含む
請求項１１の航空機の操縦方法。
【請求項１３】
前記操舵位置に基づいて、操舵コマンドを生成するステップと、
前記操舵コマンドから前記インナー・ループ・コマンドを減算して舵面コマンドを生成するステップを更に具備し、
前記舵面を駆動する前記ステップにおいて、前記舵面コマンドに基づいて前記舵面を駆動する
請求項１１の航空機の操縦方法。
【請求項１４】
前記第１諸元を検出する前記ステップにおいて、前記第１諸元を含む複数諸元を検出し、
前記複数諸元は前記飛行状態によって変化し、
前記制限操舵位置を算出する前記ステップにおいて、前記複数諸元の値の組合せと前記制限操舵位置を対応付けたテーブルに基づいて前記制限操舵位置を算出する
請求項１０乃至１３のいずれかに記載の航空機の操縦方法。
【請求項１５】
前記制限操舵位置を算出する前記ステップは、
前記制限値と前記第１諸元の差分と、前記操舵位置の変化量に対する前記第１諸元の変化量の割合とに基づいて、操舵位置変化量を算出するステップと、
前記操舵位置変化量と、前記操舵位置とに基づいて、前記制限操舵位置を算出するステップとを含む
請求項１０乃至１３のいずれかに記載の航空機の操縦方法。
【請求項１６】
前記第１諸元とは異なる複数諸元を検出するステップを更に具備し、
前記複数諸元は前記飛行状態によって変化し、
前記操舵位置変化量を算出する前記ステップにおいて、前記差分と、前記複数諸元と、
前記複数諸元の値の組合せと前記割合を対応付けたテーブルとに基づいて、前記操舵位置
変化量を算出する
請求項１５の航空機の操縦方法。
【請求項１７】
前記第１諸元とは異なる複数諸元を検出するステップを更に具備し、
前記複数諸元は前記飛行状態によって変化し、
前記制限操舵位置を算出する前記ステップは、
前記第１諸元の所定の予測時間後の予測値としての第１諸元予測値を算出するステップと、
前記制限値と前記第１諸元予測値の差分と、前記複数諸元と、前記複数諸元の値の組合せと前記操舵位置の変化量に対する前記第１諸元の変化量の割合とを対応付けたテーブルとに基づいて、操舵位置変化量を算出するステップと、
前記操舵位置変化量と、前記操舵位置とに基づいて、前記制限操舵位置を算出するステップとを含む
請求項１０乃至１３のいずれかに記載の航空機の操縦方法。
【請求項１８】
前記第１諸元とは異なる複数諸元を検出するステップを更に具備し、
前記複数諸元は前記飛行状態によって変化し、
前記制限操舵位置を算出する前記ステップは、
前記第１諸元の所定の予測時間後の予測値としての第１諸元予測値を算出するステップと、
前記第１諸元予測値と、前記第１諸元と、保持時間として前記予測時間が設定されたバッファと、フィルタとに基づいて、前記第１諸元予測値の補正値としての第１諸元補正値を算出するステップと、
前記制限値と前記第１諸元補正値の差分と、前記複数諸元と、前記複数諸元の値の組合せと前記操舵位置の変化量に対する前記第１諸元の変化量の割合とを対応付けたテーブルとに基づいて、操舵位置変化量を算出するステップと、
前記操舵位置変化量と、前記操舵位置とに基づいて、前記制限操舵位置を算出するステップとを含む
請求項１０乃至１３のいずれかに記載の航空機の操縦方法。
【発明の詳細な説明】
【技術分野】
【０００１】
本発明は、航空機の操縦システム及び航空機の操縦方法に関する。
【背景技術】
【０００２】
パイロットは、航空機を操縦する際、常時変動する航空機の出力システム及び飛行制御システム等を認識していなければならない。パイロットは、これらシステムの現在の状態だけでなく、それらの作動制限を知っている必要がある。
【０００３】
航空機によっては機構的なばねが用いられ、航空機の作動制限が近づいていることを指摘するために触覚による合図（キュー）が制御レバーを介してパイロットに提供される。そのような機構的なばねは、設定された所定のレベルで連動し、制御に所定の抵抗力を供給する。予め設定されたこれらのレベルは一度ばねが取り付けられたら変更不可能である。
【０００４】
特許文献１は、航空機の所定の動的条件に応じて接触力の大きさを変更することが可能であり、且つ機構的なばねを必要としない航空機用出力レバー触覚キューイングシステムを開示している。このシステムにおいては、機構的なばねは、コンピュータ制御されたソフトウエア、可変な磁性粒子摩擦クラッチ、及び電子トリムモータに置き換えられている。触覚警報として出力レバーソフトストップ及び出力レバーバックドライブが用いられている。これらの触覚警報は、出力コマンドが所定の作動限界に達すると、ばね様の触覚キューを提供する。バックドライブコマンドは、航空機及びエンジンの作動状況に基づいて出力レバーを可変の速度でトリムダウンさせる。触覚キューは、航空機及びエンジンが作動制限を超過していない状態になるまで作動したままである。
【０００５】
一方、図１は、インナー・ループ・コマンドを使用する従来の操縦システムを開示している。操縦システムは、操縦装置２１０と、舵面アクチュエータ２３０と、スワッシュプレート２４０と、舵面２５０と、インナー・ループ・アクチュエータ２６０と、レート・ジャイロ２７０と、インナー・ループ・コマンド演算部２８０を備える。舵面アクチュエータ２３０は、インナー・ループ・アクチュエータ２６０を介して操縦装置２１０に接続され、スワッシュプレート２４０を介して舵面２５０に接続されている。舵面アクチュエータ２３０は、操縦装置２１０の操舵位置に基づいて舵面を駆動する。ここで、レート・ジャイロ２７０は機体の外乱による姿勢変化を検出し、インナー・ループ・コマンド演算部２８０に出力する。インナー・ループ・コマンド演算部２８０は姿勢変化に基づいてインナー・ループ・コマンドを出力する。インナー・ループ・コマンドは、パイロットの操舵入力により舵面アクチュエータ２３０に与えられるコマンド量を操縦装置２１０の操舵位置を変化させずに増減させるためのコマンドである。インナー・ループ・アクチュエータ２６０は、インナー・ループ・コマンドに基づいて、舵面アクチュエータ２３０を介して舵面２５０を駆動する。したがって、パイロットが細かな修正操舵をせずに操縦装置２１０の操舵位置を一定に保持した場合であっても、外乱によって機体が不安定になることが防がれる。
【先行技術文献】
【特許文献】
【０００６】
【特許文献１】特表２００４−５１６９７０号公報
【発明の概要】
【発明が解決しようとする課題】
【０００７】
本発明の目的は、パイロットが操縦装置を速く操作した場合であっても飛行状態に関する運用制限の超過が防止される航空機の操縦システム及び航空機の操縦方法を提供することである。
【課題を解決するための手段】
【０００８】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【０００９】
本発明による航空機の操縦システムは、操縦装置（１０）と、パイロットが前記操縦装置に対して操舵入力を行うときの前記操縦装置の操舵位置（δ）の時間変化率に基づいてインナー・ループ・コマンドを生成するインナー・ループ・コマンド演算部（１１０）であって、前記インナー・ループ・コマンドは、パイロットの操舵入力により舵面アクチュエータに与えられるコマンド量を前記操縦装置の操舵位置を変化させずに増減させるためのコマンドである、前記インナー・ループ・コマンド演算部と、前記操舵位置と前記インナー・ループ・コマンドとに基づいて、航空機の舵面を駆動する舵面アクチュエータ（３０、３５）と、前記航空機の飛行状態によって変化する第１諸元（Ａ）を検出するセンサと、前記検出された第１諸元が制限値（Ａｌｉｍ）に達するときの前記操縦装置の操舵位置としての制限操舵位置（δｌｉｍ）を算出する制限操舵位置演算部（９０）と、前記操縦装置の操舵位置と前記制限操舵位置とに基づいて決定される反力生成コマンドを生成する反力生成コマンド演算部（１２０）と、前記操縦装置に対して操舵入力を行うときにパイロットが受ける反力を、前記反力生成コマンドに基づいて変化させる反力生成用アクチュエータ（２０）と、を具備する。
【００１０】
前記インナー・ループ・コマンド演算部は、前記インナー・ループ・コマンドが前記操舵位置の時間変化率に依存するように前記インナー・ループ・コマンドを生成する。前記舵面アクチュエータは、前記操舵位置が速く変化した場合に前記舵面の駆動量が減少するように前記舵面を駆動する。
【００１１】
上記航空機の操縦システムは、前記インナー・ループ・コマンドに基づいて作動するインナー・ループ・アクチュエータ（６０）を更に具備する。前記舵面アクチュエータは、前記操舵位置と前記インナー・ループ・アクチュエータの出力変位に基づいて前記舵面を駆動する。
【００１２】
上記航空機の操縦システムは、飛行制御演算部（１４０）と、舵面コマンド演算部（１５０）を更に具備する。前記飛行制御演算部は、前記操舵位置に基づいて操舵コマンドを生成する。前記舵面コマンド演算部は、前記操舵コマンドから前記インナー・ループ・コマンドを減算して舵面コマンドを生成する。前記舵面アクチュエータは、前記舵面コマンドに基づいて前記舵面を駆動する。
【００１３】
前記センサは、前記第１諸元を含む複数諸元（Ａ〜Ｃ）を検出する。前記複数諸元は前記飛行状態によって変化する。前記制限操舵位置演算部は、前記複数諸元の値の組合せと前記制限操舵位置を対応付けたテーブル（９１）に基づいて前記制限操舵位置を算出する。
【００１４】
前記制限操舵位置演算部は、前記制限値と前記第１諸元の差分（ΔＡ）と、前記操舵位置の変化量に対する前記第１諸元の変化量の割合（ｄＡ／ｄδ）とに基づいて、操舵位置変化量（Δδ）を算出し、前記操舵位置変化量と、前記操舵位置とに基づいて、前記制限操舵位置を算出する。
【００１５】
前記センサは、前記第１諸元とは異なる複数諸元（Ｂ、Ｃ）を更に検出する。前記複数諸元は前記飛行状態によって変化する。前記制限操舵位置演算部は、前記差分と、前記複数諸元と、前記複数諸元の値の組合せと前記割合を対応付けたテーブル（９５）とに基づいて、前記操舵位置変化量を算出する。
【００１６】
前記センサは、前記第１諸元とは異なる複数諸元（Ｂ、Ｃ）を更に検出する。前記複数諸元は前記飛行状態によって変化する。前記制限操舵位置演算部は、前記第１諸元の所定の予測時間（Δｔｐ）後の予測値としての第１諸元予測値（Ａｐ）を算出し、前記制限値と前記第１諸元予測値の差分（ΔＡｌｉｍ）と、前記複数諸元と、前記複数諸元の値の組合せと前記操舵位置の変化量に対する前記第１諸元の変化量の割合（ｄＡ／ｄδ）とを対応付けたテーブル（９５）とに基づいて、操舵位置変化量（Δδ）を算出し、前記操舵位置変化量と、前記操舵位置とに基づいて、前記制限操舵位置を算出する。
【００１７】
前記センサは、前記第１諸元とは異なる複数諸元（Ｂ、Ｃ）を更に検出する。前記複数諸元は前記飛行状態によって変化する。前記制限操舵位置演算部は、前記第１諸元の所定の予測時間（Δｔｐ）後の予測値としての第１諸元予測値（Ａｐ）を算出し、前記第１諸元予測値と、前記第１諸元と、保持時間として前記予測時間が設定されたバッファ（９９）と、フィルタ（１０２）とに基づいて、前記第１諸元予測値の補正値としての第１諸元補正値（Ａｃ）を算出し、前記制限値と前記第１諸元補正値の差分（ΔＡｌｉｍ）と、前記複数諸元と、前記複数諸元の値の組合せと前記操舵位置の変化量に対する前記第１諸元の変化量の割合（ｄＡ／ｄδ）とを対応付けたテーブル（９５）とに基づいて、操舵位置変化量（Δδ）を算出し、前記操舵位置変化量と、前記操舵位置とに基づいて、前記制限操舵位置を算出する。
【００１８】
本発明による航空機の操縦方法は、航空機の飛行状態によって変化する第１諸元（Ａ）を検出するステップと、前記検出された第１諸元が制限値（Ａｌｉｍ）に達するときの操縦装置（１０）の操舵位置（δ）としての制限操舵位置（δｌｉｍ）を算出するステップと、前記操縦装置の操舵位置と前記制限操舵位置とに基づいて決定される反力生成コマンドを生成するステップと、前記操縦装置に操舵入力を行うときにパイロットが受ける反力を、前記反力生成コマンドに基づいて変化させるステップと、前記操舵位置の時間変化率に基づいてインナー・ループ・コマンドを生成するステップであって、前記インナー・ループ・コマンドは、パイロットの操舵入力により舵面アクチュエータに与えられるコマンド量を前記操縦装置の操舵位置を変化させずに増減させるためのコマンドである、前記インナー・ループ・コマンドを生成するステップと、前記操舵位置と前記インナー・ループ・コマンドとに基づいて、前記航空機の舵面（５０）を駆動するステップとを具備する。
【００１９】
前記インナー・ループ・コマンドを生成する前記ステップにおいて、前記インナー・ループ・コマンドが前記操舵位置の時間変化率に依存するように前記インナー・ループ・コマンドを生成する。前記舵面を駆動する前記ステップにおいて、前記操舵位置が速く変化した場合に前記舵面の駆動量が減少するように前記舵面を駆動する。
【００２０】
前記操縦装置は、インナー・ループ・アクチュエータ（６０）及び舵面アクチュエータ（３０）を介して前記舵面に接続される。前記舵面を駆動する前記ステップは、前記インナー・ループ・アクチュエータが前記インナー・ループ・コマンドに基づいて作動するステップと、前記舵面アクチュエータが、前記操舵位置及び前記インナー・ループ・アクチュエータの出力変位に基づいて前記舵面を駆動するステップとを含む。
【００２１】
上記航空機の操縦方法は、前記操舵位置に基づいて操舵コマンドを生成するステップと、前記操舵コマンドから前記インナー・ループ・コマンドを減算して舵面コマンドを生成するステップを更に具備する。前記舵面を駆動する前記ステップにおいて、前記舵面コマンドに基づいて前記舵面を駆動する。
【００２２】
前記第１諸元を検出する前記ステップにおいて、前記第１諸元を含む複数諸元（Ａ〜Ｃ）を検出する。前記複数諸元は前記飛行状態によって変化する。前記制限操舵位置を算出する前記ステップにおいて、前記複数諸元の値の組合せと前記制限操舵位置を対応付けたテーブル（９１）に基づいて前記制限操舵位置を算出する。
【００２３】
前記制限操舵位置を算出する前記ステップは、前記制限値と前記第１諸元の差分（ΔＡ）と、前記操舵位置の変化量に対する前記第１諸元の変化量の割合（ｄＡ／ｄδ）とに基づいて、操舵位置変化量（Δδ）を算出するステップと、前記操舵位置変化量と、前記操舵位置とに基づいて、前記制限操舵位置を算出するステップとを含む。
【００２４】
上記航空機の操縦方法は、前記第１諸元とは異なる複数諸元（Ｂ、Ｃ）を検出するステップを更に具備する。前記複数諸元は前記飛行状態によって変化する。前記操舵位置変化量を算出する前記ステップにおいて、前記差分と、前記複数諸元と、前記複数諸元の値の組合せと前記割合を対応付けたテーブル（９５）とに基づいて、前記操舵位置変化量を算出する。
【００２５】
上記航空機の操縦方法は、前記第１諸元とは異なる複数諸元（Ｂ、Ｃ）を検出するステップを更に具備する。前記複数諸元は前記飛行状態によって変化する。前記制限操舵位置を算出する前記ステップは、前記第１諸元の所定の予測時間（Δｔｐ）後の予測値としての第１諸元予測値（Ａｐ）を算出するステップと、前記制限値と前記第１諸元予測値の差分（ΔＡｌｉｍ）と、前記複数諸元と、前記複数諸元の値の組合せと前記操舵位置の変化量に対する前記第１諸元の変化量の割合（ｄＡ／ｄδ）とを対応付けたテーブル（９５）とに基づいて、操舵位置変化量（Δδ）を算出するステップと、前記操舵位置変化量と、前記操舵位置とに基づいて、前記制限操舵位置を算出するステップとを含む。
【００２６】
上記航空機の操縦方法は、前記第１諸元とは異なる複数諸元（Ｂ、Ｃ）を検出するステップを更に具備する。前記複数諸元は前記飛行状態によって変化する。前記制限操舵位置を算出する前記ステップは、前記第１諸元の所定の予測時間（Δｔｐ）後の予測値としての第１諸元予測値（Ａｐ）を算出するステップと、前記第１諸元予測値と、前記第１諸元と、保持時間として前記予測時間が設定されたバッファ（９９）と、フィルタ（１０２）とに基づいて、前記第１諸元予測値の補正値としての第１諸元補正値（Ａｃ）を算出するステップと、前記制限値と前記第１諸元補正値の差分（ΔＡｌｉｍ）と、前記複数諸元と、前記複数諸元の値の組合せと前記操舵位置の変化量に対する前記第１諸元の変化量の割合（ｄＡ／ｄδ）とを対応付けたテーブル（９５）とに基づいて、操舵位置変化量（Δδ）を算出するステップと、前記操舵位置変化量と、前記操舵位置とに基づいて、前記制限操舵位置を算出するステップとを含む。
【発明の効果】
【００２７】
本発明によれば、パイロットが操縦装置を速く操作した場合であっても飛行状態に関する運用制限の超過が防止される航空機の操縦システム及び航空機の操縦方法が提供される。
【図面の簡単な説明】
【００２８】
【図１】図１は、インナー・ループ・コマンドを使用する従来の操縦システムの概略図である。
【図２】図２は、本発明の第１の実施形態に係る操縦システムの概略図である。
【図３】図３は、第１の実施形態に係る操縦システムのブロック図である。
【図４】図４は、インナー・ループ・コマンド演算部のブロック図である。
【図５】図５は、制限操舵位置演算部のブロック図である。
【図６】図６は、反力生成コマンド演算部のブロック図である。
【図７】図７は、第１の実施形態に係る操縦システムの動作を説明するタイミングチャートである。
【図８】図８は、第１比較例に係る操縦システムの動作を説明するタイミングチャートである。
【図９】図９は、第２比較例に係る操縦システムの動作を説明するタイミングチャートである。
【図１０】図１０は、本発明の第２の実施形態に係る操縦システムの概略図である。
【図１１】図１１は、第２の実施形態に係る操縦システムのブロック図である。
【図１２】図１２は、本発明の第３の実施形態に係る制限操舵位置演算部のブロック図である。
【図１３】図１３は、本発明の第４の実施形態に係る制限操舵位置演算部のブロック図である。
【図１４】図１４は、本発明の第５の実施形態に係る制限操舵位置演算部のブロック図である。
【図１５】図１５は、本発明の第６の実施形態に係る制限操舵位置演算部のブロック図である。
【図１６】図１６は、第２の実施形態に係る操縦システムの動作を説明するタイミングチャートである。
【発明を実施するための形態】
【００２９】
添付図面を参照して、本発明による航空機の操縦システム及び航空機の操縦方法を実施するための形態を以下に説明する。
【００３０】
（第１の実施形態）
図２を参照して、本発明の第１の実施形態に係る操縦システムを説明する。本実施形態に係る操縦システムは、機力操縦システムであって、ヘリコプタのような航空機に適用される。機力操縦システムは、例えば、ハイドロメカニカル操縦システムである。本実施形態に係る操縦システムは、操縦装置１０と、反力生成用アクチュエータ２０と、舵面アクチュエータ３０と、スワッシュプレート４０と、舵面５０と、インナー・ループ・アクチュエータ６０と、センサ７０と、制御装置８０を備える。制御装置８０は、制限操舵位置演算部９０と、インナー・ループ・コマンド演算部１１０と、反力生成コマンド演算部１２０を備える。
【００３１】
操縦装置１０は、インナー・ループ・アクチュエータ６０、舵面アクチュエータ３０、及びスワッシュプレート４０を介して舵面５０に接続されている。インナー・ループ・アクチュエータ６０は、第１部分６１と、第２部分６２を備える。舵面アクチュエータ３０は、入力部３１と、出力部３２を備える。第１部分６１は、操縦装置１０に接続されている。第２部分６２は、入力部３１に接続されている。出力部３２は、スワッシュプレート４０を介して舵面５０に接続されている。
【００３２】
センサ７０は、航空機の飛行状態によって変化する機体運動の諸元を検出し、検出した諸元を示す諸元信号を制御装置８０に出力する。反力生成用アクチュエータ２０は、操縦装置１０の操舵位置を検出し、検出した操舵位置を示す操舵位置信号を制御装置８０に出力する。制御装置８０は、インナー・ループ・コマンドをインナー・ループ・アクチュエータ６０に出力し、反力生成コマンドを反力生成用アクチュエータ２０に出力する。インナー・ループ・アクチュエータ６０は、インナー・ループ・コマンドに基づいて作動する。より具体的には、第１部分６１に対する第２部分６２の相対位置がインナー・ループ・コマンドに基づいて変化する。第１部分６１に対する第２部分６２の相対位置は、インナー・ループ・アクチュエータ６０の出力変位と称される場合がある。反力生成用アクチュエータ２０は、反力生成コマンドに基づいて、パイロットが操縦装置１０に対して操舵入力を行うときに受ける反力を変化させる。
【００３３】
図３は、本実施形態に係る操縦システムのブロック図を示している。操縦装置１０の操舵位置δは、パイロットの操舵入力によって変化する。インナー・ループ・コマンド演算部１１０は、操舵位置δを示す操舵位置信号に基づいて、インナー・ループ・コマンドを生成する。
【００３４】
図４を参照して、インナー・ループ・コマンド演算部１１０は、ハイパスフィルタ１１１を備える。インナー・ループ・コマンドは、操舵位置δを示す操舵位置信号を入力とするハイパスフィルタ１１１の出力に相当する。より具体的には、インナー・ループ・コマンドは、操舵位置信号を入力とする伝達関数Ｇ１１１（ｓ）の出力にゲインＫを乗算して得られる。伝達関数Ｇ１１１（ｓ）は、時定数をτとすると、下記式で表される。このように、操舵位置δの時間変化率に依存するインナー・ループ・コマンドが生成される。
【数１】
0005594996.tif 000002
【００３５】
図３を参照して、インナー・ループ・アクチュエータ６０は、インナー・ループ・コマンドに基づいて作動し、これによりインナー・ループ・アクチュエータ６０の出力変位が変化する。第２部分６２の位置は、インナー・ループ・コマンドに基づくインナー・ループ・アクチュエータ６０の出力変位が第１部分６１の位置に減算的に合成されて決定される。舵面アクチュエータ３０は、操舵コマンドとしての第２部分６２の位置に基づいて舵面５０を駆動する。第１部分６１が操舵位置δに連動しているため、舵面アクチュエータ３０は、操舵位置δとインナー・ループ・アクチュエータ６０の出力変位に基づいて、舵面５０を駆動する。すなわち、舵面アクチュエータ３０は、操舵位置δ及びインナー・ループ・コマンドに基づいて舵面５０を駆動する。
【００３６】
センサ７０は、航空機の飛行状態によって変化する機体運動の諸元を検出し、検出した諸元を示す諸元信号を出力する。ここで、諸元は、エンジントルク、バンク角、前進速度、横方向の速度、メインロータの回転数等である。本実施形態では、センサ７０は、複数の諸元Ａ〜Ｃを検出する。ここで、諸元Ａは、舵面５０の影響を受ける。制限操舵位置演算部９０は、諸元Ａ〜Ｃを示す諸元信号に基づいて、諸元Ａが制限値に達する操縦装置１０の制限操舵位置δｌｉｍを算出する。
【００３７】
図５を参照して、制限操舵位置演算部９０は、諸元Ａ〜Ｃの値の組合せと制限操舵位置δｌｉｍとを対応付けたテーブル９１を備える。制限操舵位置演算部９０は、テーブル９１に基づいて制限操舵位置δｌｉｍを算出する。このような制限操舵位置δｌｉｍの算出方法は、制限操舵位置δｌｉｍが諸元Ａだけでなく諸元Ｂ，Ｃにも依存する場合に有効である。
【００３８】
図６を参照して、反力生成コマンド演算部１２０は、操舵位置δを示す操舵位置信号と制限操舵位置δｌｉｍとに基づいて、パイロットが操縦装置１０から受けるべき反力を示す反力生成コマンドを生成する。反力生成コマンドは、操舵位置δが制限操舵位置δｌｉｍの近くで反力が急に大きくなるように生成される。
【００３９】
図３を参照して、反力生成用アクチュエータ２０は、反力生成コマンドに基づいて、パイロットが操縦装置１０に対して操舵入力を行うときに受ける反力を変化させる。
【００４０】
図７を参照して、本実施形態に係る航空機の操縦システム及び航空機の操縦方法の効果を説明する。図７は、パイロットが操舵入力により、時刻ｔより前は操舵位置δを一定に保持し、時刻ｔにおいて操舵位置δを制限操舵位置δｌｉｍまで速く変化（増加）させてその後一定に保持した場合において、操舵位置δ、インナー・ループ・コマンド、操舵コマンド、及び、舵面５０の影響を受ける諸元Ａの変化を示す。本実施形態においては、操舵コマンドは第２部分６２の位置である。
【００４１】
パイロットは、操縦装置１０から受ける反力の変化に基づいて制限操舵位置δｌｉｍを認識し、操舵位置δが制限操舵位置δｌｉｍに達した後は、操舵位置δを制限操舵位置δｌｉｍに保持する。
【００４２】
インナー・ループ・コマンドは、時刻ｔより前は一定値（例えばゼロ）に保持され、時刻ｔにおいて速く変化（増加）した後、時刻ｔより前の値に向かって漸近する。
【００４３】
インナー・ループ・コマンドに基づくインナー・ループ・アクチュエータ６０の出力変位が第１部分６１の位置に減算的に合成されて決定されるため、第２部分６２の位置としての操舵コマンドは、時刻ｔより前は一定に保持され、時刻ｔ以後に制限操舵位置δｌｉｍに対応する位置まで変化した後、制限操舵位置δｌｉｍに対応する位置に保持される。ここで、第２部分６２の位置の時刻ｔ以後における変化は、時刻ｔにおける操舵位置δの変化に比べると緩やかである。
【００４４】
諸元Ａは、時刻ｔより前は一定値に保持され、時刻ｔ以後に制限値まで変化してその後制限値で一定に保持される。本実施形態においては、操舵位置δに基づくインナー・ループ・コマンドに基づいて舵面アクチュエータ３０が舵面５０を駆動する。例えば、操舵位置δの時間変化率に依存するインナー・ループ・コマンドに基づいて、操舵位置δが速く変化した場合に舵面５０の駆動量が減少するように、舵面アクチュエータ３０が舵面５０を駆動する。そのため、諸元Ａが過渡応答において制限値を超過することが防止される。本実施形態においては、パイロットが反力変化に基づいて操縦装置１０の操舵位置δを制限操舵位置δｌｉｍに保持するため、諸元Ａが定常応答において制限値で一定に保持される。諸元Ａが過渡応答において制限値を超過することが防止されるため、航空機が不安定になることが防止される。更に、諸元Ａが定常応答において制限値で一定に保持されるため、航空機の性能を最大限生かした操縦が可能となる。
【００４５】
なお、上述の効果と同様の効果が得られるのであれば、図４に示されるアルゴリズムとは異なるアルゴリズムによりインナー・ループ・コマンドを生成してもよい。
【００４６】
上述の効果をより明らかにするために、図８を参照して、第１比較例における操舵位置δ、第２部分６２の位置としての操舵コマンド、及び、舵面５０の影響を受ける諸元Ａの変化を説明する。第１比較例においては、インナー・ループ・コマンドが無効にされて第２部分６２の第１部分６１に対する相対位置が固定される。操舵位置δは、図７の場合と同様に変化する。第２部分６２の第１部分６１に対する相対位置が固定されているため、第２部分６２の位置は操舵位置δに連動する。したがって、第２部分６２の位置としての操舵コマンドは、時刻ｔより前は一定に保持され、時刻ｔにおいてある位置まで速く変化してその後はその位置で一定に保持される。諸元Ａは、時刻ｔより前は一定値に保持され、時刻ｔにおいて急に変化して制限値を一時的に超過して最大値をとった後、制限値まで減少して制限値で一定に保持される。第１比較例においては、諸元Ａが過渡応答において制限値を超過するため、航空機が不安定になる。
【００４７】
上述の効果をより明らかにするために、図９を参照して、第２比較例における操舵位置δ、第２部分６２の位置としての操舵コマンド、及び、舵面５０の影響を受ける諸元Ａの変化を説明する。第２比較例においては、インナー・ループ・コマンドが無効にされて第２部分６２の第１部分６１に対する相対位置が固定され、且つ、制限操舵位置算出部９０が制限操舵位置δｌｉｍのかわりに制限操舵位置δｌｉｍ’を算出する。ここで、制限操舵位置δｌｉｍ’は、諸元Ａが過渡応答の最大値において制限値を超過しないように設定されている。この場合、パイロットが操舵入力により、時刻ｔより前は操舵位置δを一定に保持し、時刻ｔにおいて操舵位置δを制限操舵位置δｌｉｍ’まで速く変化させてその後一定に保持する。第２部分６２の第１部分６１に対する相対位置が固定されているため、第２部分６２の位置は操舵位置δに連動する。したがって、第２部分６２の位置としての操舵コマンドは、時刻ｔより前は一定に保持され、時刻ｔにおいてある位置まで速く変化してその後はその位置で一定に保持される。図９に示された操舵コマンドの時刻ｔにおける変化量は、図８に示された操舵コマンドの時刻ｔにおける変化量より小さい。諸元Ａは、時刻ｔより前は一定値に保持され、時刻ｔにおいて急に変化して制限値の近傍まで達した後、時刻ｔより前の一定値に向かって少し戻った値で一定に保持される。第２比較例においては、諸元Ａが定常応答において制限値からずれた値で一定に保持されるため、航空機の性能を最大限生かした操縦が実現されない。
【００４８】
（第２の実施形態）
図１０を参照して、本発明の第２の実施形態に係る操縦システムを説明する。本実施形態に係る操縦システムは、フライ・バイ・ワイヤ操縦システムであって、ヘリコプタのような航空機に適用される。本実施形態に係る操縦システムは、操縦装置１０と、反力生成用アクチュエータ２０と、舵面アクチュエータ３５と、スワッシュプレート４０と、舵面５０と、センサ７０と、制御装置８５を備える。制御装置８５は、制限操舵位置演算部９０と、インナー・ループ・コマンド演算部１１０と、反力生成コマンド演算部１２０と、飛行制御演算部１４０と、舵面コマンド演算部１５０を備える。
【００４９】
舵面アクチュエータ３５は、スワッシュプレート４０を介して舵面５０に接続されている。
【００５０】
センサ７０は、航空機の飛行状態によって変化する機体運動の諸元を検出し、検出した諸元を示す諸元信号を制御装置８５に出力する。反力生成用アクチュエータ２０は、操縦装置１０の操舵位置を検出し、検出した操舵位置を示す操舵位置信号を制御装置８５に出力する。制御装置８５は、反力生成コマンドを反力生成用アクチュエータ２０に出力し、電気信号又は光信号としての舵面コマンドを舵面アクチュエータ３５に出力する。反力生成用アクチュエータ２０は、反力生成コマンドに基づいて、パイロットが操縦装置１０に対して操舵入力を行うときに受ける反力を変化させる。舵面アクチュエータ３５は、舵面コマンドに基づいて、スワッシュプレート４０を介して舵面５０を駆動する。
【００５１】
図１１は、本実施形態に係る操縦システムのブロック図を示している。操縦装置１０の操舵位置δは、パイロットの操舵入力によって変化する。インナー・ループ・コマンド演算部１１０は、第１の実施形態と同様に構成される。インナー・ループ・コマンド演算部１１０は、第１の実施形態と同様に、操舵位置δを示す操舵位置信号に基づいて、インナー・ループ・コマンドを生成する。
【００５２】
飛行制御演算部１４０は、操舵位置δに基づいて操舵コマンドを生成する。舵面コマンド演算部１５０は、例えば減算器である。舵面コマンド演算部１５０は、操舵コマンドからインナー・ループ・コマンドを減算して舵面コマンドを生成する。舵面アクチュエータ３５は、舵面コマンドに基づいて舵面５０を駆動する。すなわち、舵面アクチュエータ３５は、操舵コマンド及びインナー・ループ・コマンドに基づいて舵面５０を駆動する。
【００５３】
センサ７０は、第１の実施形態と同様に構成される。センサ７０は、第１の実施形態と同様に、複数の諸元Ａ〜Ｃを検出し、検出した諸元を示す諸元信号を出力する。制限操舵位置演算部９０は、第１の実施形態と同様に構成される。制限操舵位置演算部９０は、第１の実施形態と同様に、諸元Ａ〜Ｃを示す諸元信号に基づいて、諸元Ａが制限値に達する操縦装置１０の制限操舵位置δｌｉｍを算出する。
【００５４】
反力生成コマンド演算部１２０は、第１の実施形態と同様に構成される。反力生成コマンド演算部１２０は、第１の実施形態と同様に、操舵位置δを示す操舵位置信号と制限操舵位置δｌｉｍとに基づいて、パイロットが操縦装置１０から受けるべき反力を示す反力生成コマンドを生成する。反力生成コマンドは、操舵位置δが制限操舵位置δｌｉｍの近くで反力が急に大きくなるように生成される。
【００５５】
反力生成用アクチュエータ２０は、第１の実施形態と同様に、反力生成コマンドに基づいて、パイロットが操縦装置１０に対して操舵入力を行うときに受ける反力を変化させる。
【００５６】
図１６を参照して、本実施形態に係る航空機の操縦システム及び航空機の操縦方法の効果を説明する。図１６は、パイロットが操舵入力により、時刻ｔより前は操舵位置δを一定に保持し、時刻ｔにおいて操舵位置δを制限操舵位置δｌｉｍまで速く変化（増加）させてその後一定に保持した場合において、操舵位置δ、操舵コマンド、インナー・ループ・コマンド、電気信号又は光信号としての舵面コマンド、及び、舵面５０の影響を受ける諸元Ａの変化を示す。
【００５７】
パイロットは、操縦装置１０から受ける反力の変化に基づいて制限操舵位置δｌｉｍを認識し、操舵位置δが制限操舵位置δｌｉｍに達した後は、操舵位置δを制限操舵位置δｌｉｍに保持する。
【００５８】
操舵コマンドは、操舵位置δと同様に変化する。すなわち、操舵コマンドは、時刻ｔより前は一定に保持され、時刻ｔにおいて制限操舵位置δｌｉｍに対応する値まで速く変化（増加）し、その後制限操舵位置δｌｉｍに対応する値で一定に保持される。
【００５９】
インナー・ループ・コマンドは、時刻ｔより前は一定値（例えばゼロ）に保持され、時刻ｔにおいて速く変化（増加）した後、時刻ｔより前の値に向かって漸近する。
【００６０】
操舵コマンドからインナー・ループ・コマンドを減算して舵面コマンドが生成されるため、舵面コマンドは、時刻ｔより前は一定に保持され、時刻ｔ以後に制限操舵位置δｌｉｍに対応する値まで変化した後、制限操舵位置δｌｉｍに対応する値に保持される。ここで、舵面コマンドの時刻ｔ以後における変化は、時刻ｔにおける操舵位置δや操舵コマンドの変化に比べると緩やかである。
【００６１】
諸元Ａは、時刻ｔより前は一定値に保持され、時刻ｔ以後に制限値まで変化してその後制限値で一定に保持される。本実施形態においては、操舵位置δに基づくインナー・ループ・コマンドに基づいて舵面アクチュエータ３５が舵面５０を駆動する。例えば、操舵位置δの時間変化率に依存するインナー・ループ・コマンドに基づいて、操舵位置δが速く変化した場合に舵面５０の駆動量が減少するように、舵面アクチュエータ３５が舵面５０を駆動する。そのため、諸元Ａが過渡応答において制限値を超過することが防止される。本実施形態においては、パイロットが反力変化に基づいて操縦装置１０の操舵位置δを制限操舵位置δｌｉｍに保持するため、諸元Ａが定常応答において制限値で一定に保持される。諸元Ａが過渡応答において制限値を超過することが防止されるため、航空機が不安定になることが防止される。更に、諸元Ａが定常応答において制限値で一定に保持されるため、航空機の性能を最大限生かした操縦が可能となる。
【００６２】
（第３の実施形態）
図１２を参照して、本発明の第３の実施形態に係る航空機の操縦システムを説明する。本実施形態に係る航空機の操縦システムは、第１又は第２の実施形態に係る航空機の操縦システムの制限操舵位置演算部９０が、図１２に示す制限操舵位置演算部９０で置き換えられたものである。本実施形態に係る制限操舵位置演算部９０は、減算器９２と、除算器９３と、加算器９４とを備える。本実施形態に係る制限操舵位置演算部９０は、諸元Ｂ、Ｃを用いないで制限操舵位置δｌｉｍを算出する。
【００６３】
減算器９２は、諸元Ａの所定の制限値Ａｌｉｍから諸元Ａを減算して諸元差分値ΔＡを算出する。除算器９３は、操舵位置δの変化量に対する諸元Ａの変化量の割合ｄＡ／ｄδで諸元差分値ΔＡを除して操舵位置変化量Δδを算出する。言い換えると、除算器９３は、割合ｄＡ／ｄδの逆数と諸元差分値ΔＡとの積としての操舵位置変化量Δδを算出する。加算器９４は、操舵位置δに操舵位置変化量Δδを加算して制限操舵位置δｌｉｍを算出する。
【００６４】
（第４の実施形態）
図１３を参照して、本発明の第４の実施形態に係る航空機の操縦システムを説明する。本実施形態に係る航空機の操縦システムは、第１又は第２の実施形態に係る航空機の操縦システムの制限操舵位置演算部９０が、図１３に示す制限操舵位置演算部９０で置き換えられたものである。本実施形態に係る制限操舵位置演算部９０は、減算器９２と、除算器９３と、加算器９４と、テーブル９５を備える。テーブル９５は、諸元Ｂ、Ｃの値の組合せと操舵位置δの変化量に対する諸元Ａの変化量の割合ｄＡ／ｄδとを対応付けている。本実施形態においては、操舵位置δの変化量に対する諸元Ａの変化量の割合が諸元Ｂ、Ｃによって変化する点が第３の実施形態と異なる。
【００６５】
減算器９２は、諸元Ａの所定の制限値Ａｌｉｍから諸元Ａを減算して諸元差分値ΔＡを算出する。除算器９３は、テーブル９５に基づいて、割合ｄＡ／ｄδで諸元差分値ΔＡを除して操舵位置変化量Δδを算出する。言い換えると、除算器９３は、テーブル９５に基づいて、割合ｄＡ／ｄδの逆数と諸元差分値ΔＡとの積としての操舵位置変化量Δδを算出する。加算器９４は、操舵位置δに操舵位置変化量Δδを加算して制限操舵位置δｌｉｍを算出する。このような制限操舵位置δｌｉｍの算出方法は、制限操舵位置δｌｉｍが諸元Ａだけでなく諸元Ｂ，Ｃにも依存する場合に有効である。
【００６６】
（第５の実施形態）
図１４を参照して、本発明の第５の実施形態に係る航空機の操縦システムを説明する。本実施形態に係る航空機の操縦システムは、第１又は第２の実施形態に係る航空機の操縦システムの制限操舵位置演算部９０が、図１４に示す制限操舵位置演算部９０で置き換えられたものである。本実施形態に係る制限操舵位置演算部９０は、減算器９２と、除算器９３と、加算器９４と、テーブル９５と、微分器９６と、乗算器９７と、加算器９８を備える。テーブル９５は、諸元Ｂ、Ｃの値の組合せと操舵位置δの変化量に対する諸元Ａの変化量の割合ｄＡ／ｄδとを対応付けている。本実施形態においては、諸元Ａのかわりに諸元Ａの予測値Ａｐが減算器９２に入力される点が第４の実施形態と異なる。
【００６７】
微分器９６は、諸元Ａを微分して諸元微分ｄＡ／ｄｔを算出する。乗算器９７は、諸元微分ｄＡ／ｄｔと所定の予測時間Δｔｐとの積である諸元変化量ΔＡｐを算出する。加算器９８は、諸元Ａに諸元変化量ΔＡｐを加算して、諸元Ａの予測時間Δｔｐ後の予測値としての諸元予測値Ａｐを算出する。減算器９２は、諸元Ａの所定の制限値Ａｌｉｍから諸元予測値Ａｐを減算して諸元差分値ΔＡｌｉｍを算出する。除算器９３は、テーブル９５に基づいて、割合ｄＡ／ｄδで諸元差分値ΔＡｌｉｍを除して操舵位置変化量Δδを算出する。言い換えると、除算器９３は、テーブル９５に基づいて、割合ｄＡ／ｄδの逆数と諸元差分値ΔＡｌｉｍとの積としての操舵位置変化量Δδを算出する。加算器９４は、操舵位置δに操舵位置変化量Δδを加算して制限操舵位置δｌｉｍを算出する。諸元Ａの予測値Ａｐに基づいて制限操舵位置δｌｉｍが算出されるため、本実施形態に係る制限操舵位置δｌｉｍの算出方法は、諸元Ａが非常に速く変化する場合に有効である。
【００６８】
（第６の実施形態）
図１５を参照して、本発明の第６の実施形態に係る航空機の操縦システムを説明する。本実施形態に係る航空機の操縦システムは、第１又は第２の実施形態に係る航空機の操縦システムの制限操舵位置演算部９０が、図１５に示す制限操舵位置演算部９０で置き換えられたものである。本実施形態に係る制限操舵位置演算部９０は、減算器９２と、除算器９３と、加算器９４と、テーブル９５と、微分器９６と、乗算器９７と、加算器９８と、バッファ９９と、減算器１００と、減算器１０１と、一次遅れフィルタ１０２を備える。一次遅れフィルタ１０２の伝達関数Ｇ１０２（ｓ）は、時定数をτとすると、下記式で表される。
【数２】
0005594996.tif 000003
テーブル９５は、諸元Ｂ、Ｃの値の組合せと操舵位置δの変化量に対する諸元Ａの変化量の割合ｄＡ／ｄδとを対応付けている。本実施形態においては、予測値Ａｐのかわりに予測値Ａｐが補正された補正値Ａｃが減算器９２に入力される点が第５の実施形態と異なる。
【００６９】
微分器９６は、諸元Ａを微分して諸元微分ｄＡ／ｄｔを算出する。乗算器９７は、諸元微分ｄＡ／ｄｔと所定の予測時間Δｔｐとの積である諸元変化量ΔＡｐを算出する。加算器９８は、諸元Ａに諸元変化量ΔＡｐを加算して、諸元Ａの予測時間Δｔｐ後の予測値としての諸元予測値Ａｐを算出する。減算器１００は、諸元予測値Ａｐを入力とするバッファ９９の出力から諸元Ａを減算した予測誤差を算出する。ここで、バッファ９９の保持時間は予測時間Δｔｐである。減算器１０１は、減算器１００が算出した予測誤差を入力とする一次遅れフィルタ１０２の出力を諸元予測値Ａｐから減算した諸元補正値Ａｃを算出する。減算器９２は、諸元Ａの所定の制限値Ａｌｉｍから諸元補正値Ａｃを減算して諸元差分値ΔＡｌｉｍを算出する。除算器９３は、テーブル９５に基づいて、割合ｄＡ／ｄδで諸元差分値ΔＡｌｉｍを除して操舵位置変化量Δδを算出する。言い換えると、除算器９３は、テーブル９５に基づいて、割合ｄＡ／ｄδの逆数と諸元差分値ΔＡｌｉｍとの積としての操舵位置変化量Δδを算出する。加算器９４は、操舵位置δに操舵位置変化量Δδを加算して制限操舵位置δｌｉｍを算出する。本実施形態によれば、諸元Ａの予測値Ａｐが予測誤差に基づいて補正される。
【００７０】
以上、上記各実施形態に係る操縦システムがヘリコプタに適用される場合を説明したが、上記各実施形態に係る操縦システムを固定翼機に適用してもよい。
【００７１】
制限操舵位置演算部９０、インナー・ループ・コマンド演算部１１０、反力生成コマンド演算部１２０、飛行制御演算部１４０、及び舵面コマンド演算部１５０は、電気回路が載ったボードとして実現されてもよく、コンピュータとしての制御装置８０又は８５がコンピュータプログラムに基づいて動作することで実現されてもよい。
【００７２】
上記各実施形態において、反力生成用アクチュエータ２０のかわりに操舵位置センサ（不図示）を用いて操縦装置１０の操舵位置δを検出してもよい。
【符号の説明】
【００７３】
１０…操縦装置
２０…反力生成用アクチュエータ
３０…舵面アクチュエータ
３１…入力部
３２…出力部
３５…舵面アクチュエータ
４０…スワッシュプレート
５０…舵面
６０…インナー・ループ・アクチュエータ
６１…第１部分
６２…第２部分
７０…センサ
８０、８５…制御装置（コンピュータ）
９０…制限操舵位置演算部
９１…テーブル
９２…減算器
９３…除算器
９４…加算器
９５…テーブル
９６…微分器
９７…乗算器
９８…加算器
９９…バッファ
１００、１０１…減算器
１０２…一次遅れフィルタ
１１０…インナー・ループ・コマンド演算部
１１１…ハイパスフィルタ
１２０…反力生成コマンド演算部
１４０…飛行制御演算部
１５０…舵面コマンド演算部
２１０…操縦装置
２３０…舵面アクチュエータ
２４０…スワッシュプレート
２５０…舵面
２６０…インナー・ループ・アクチュエータ
２７０…レート・ジャイロ
２８０…インナー・ループ・コマンド演算部
【図１】
0005594996.tif 000004
【図２】
0005594996.tif 000005
【図３】
0005594996.tif 000006
【図４】
0005594996.tif 000007
【図５】
0005594996.tif 000008
【図６】
0005594996.tif 000009
【図７】
0005594996.tif 000010
【図８】
0005594996.tif 000011
【図９】
0005594996.tif 000012
【図１０】
0005594996.tif 000013
【図１１】
0005594996.tif 000014
【図１２】
0005594996.tif 000015
【図１３】
0005594996.tif 000016
【図１４】
0005594996.tif 000017
【図１５】
0005594996.tif 000018
【図１６】
0005594996.tif 000019